(57)【特許請求の範囲】
【請求項１】
軸筒の前方にペン芯及びペン先を装着し、前方開口部が前記ペン芯と連通するよう前記軸筒内に形成したインキ収容部の内部に、当該インキ収容部の内側面に対して摺動するゴム又はエラストマーで成形した移動弁部材を配し、該移動弁部材の後方に設けた装着凹部に形成した内向鍔部と、前記インキ収容部の後方に露出させた操作部材に連接する押棒の前方に形成した外向鍔部とを係合させ、前記インキ収容部の後方に露出させた操作部材を介して前後動させることにより、前記インキ収容部の内部にインキを吸入する構造のインキ吸入機構付き万年筆であって、前記押棒を分割金型により樹脂成形し、且つ前記押棒の外向鍔部における後端外周上に前記分割金型のパーテーションラインにより形成されるエッジ部を設けることにより、前記押棒を後退させる際に、当該押棒のエッジ部が前記移動弁部材の内向鍔部に食い込む構造としたことを特徴とするインキ吸入機構付き万年筆。
【発明の詳細な説明】
【技術分野】
【０００１】
本発明はインキ吸入機構付きの万年筆に関し、さらに詳細には、インキ収容部の内部に摺動可能に配した移動弁部材を、インキ収容部の外部に露出させた操作部材を操作することにより、移動弁部材に連結した押棒を介して前後動させて、インキ収容部の内部にインキを吸入する構造のインキ吸入機構付き万年筆に関する。
【背景技術】
【０００２】
従来より、インキ収容部にインキを吸入する手段として、例えば特開２００２−３３１７９０号公報にも開示されているように、操作部材を回転操作することでインキ収容部の内部に配した移動弁部材を前後動させ、インキ収容部内にインキの吸入を行う構造のインキ吸入機構はよく知られている。この様なインキ吸入機構を用いた万年筆を図で説明すると、図１０に示すように、万年筆１ａの軸筒２０には、インキ吸入機構６０を設けてあり、インキ吸入機構６０の操作部材１０を回転操作することにより、操作部材１０に設けた雌螺子部１０ａで押棒９０に設けた雄螺子部９０ａを前進させて、押棒９０と共に移動弁部材８０を前進させ、前進した状態の移動弁部材８０を操作部材１０の逆回転で後退させることにより、インキ収容部７０内に負圧を発生させ、インキ瓶に入れたペン芯２０からインキを吸入させる構造である。
【０００３】
ところで従来のインキ吸入機構では、押棒が移動弁部材から脱落してしまうといった問題があった。この問題は、図１０に示したように、押棒９の前端部を移動弁部材８０の装着凹部８０ａに係合させてあるものの、インキを吸入するために押棒９０を後退させた際には、インキ収容部７０の内側面７０ｃとの接触により軟質材で形成した移動弁部材８０に抵抗が掛かり、移動弁部材８０の装着凹部８０ａに形成した内向鍔部８０ｂから押棒９０の前端に形成した外向鍔部９０ａが脱落してしまうことにより発生するものであった。
【先行技術文献】
【特許文献】
【０００４】
【特許文献１】特開２００２−３３１７９０号公報
【発明の概要】
【発明が解決しようとする課題】
【０００５】
本発明はこうした問題点を解消するために、押棒を後退させる際に、インキ収容部の内側面との接触により軟質材で形成した移動弁部材に抵抗が掛かった場合においても、押棒が移動弁部材から脱落しにくい構造のインキ吸入機構付き万年筆を得ることを目的とした。
【課題を解決するための手段】
【０００６】
本発明は、
「軸筒の前方にペン芯及びペン先を装着し、前方開口部が前記ペン芯と連通するよう前記軸筒内に形成したインキ収容部の内部に、当該インキ収容部の内側面に対して摺動するゴム又はエラストマーで成形した移動弁部材を配し、該移動弁部材の後方に設けた装着凹部に形成した内向鍔部と、前記インキ収容部の後方に露出させた操作部材に連接する押棒の前方に形成した外向鍔部とを係合させ、前記インキ収容部の後方に露出させた操作部材を介して前後動させることにより、前記インキ収容部の内部にインキを吸入する構造のインキ吸入機構付き万年筆であって、前記押棒を分割金型により樹脂成形し、且つ前記押棒の外向鍔部における後端外周上に前記分割金型のパーテーションラインにより形成されるエッジ部を設けることにより、前記押棒を後退させる際に、当該押棒のエッジ部が前記移動弁部材の内向鍔部に食い込む構造としたことを特徴とするインキ吸入機構付き万年筆。」である。
【発明の効果】
【０００７】
本発明のインキ吸入機構付き万年筆は、押棒を分割金型により樹脂成形し、且つ押棒の外向鍔部における後端外周上に分割金型のパーテーションラインにより形成されるエッジ部を設けることにより、押棒を後退させる際に、押棒のエッジ部が移動弁部材の内向鍔部に食い込む構造とするので、インキ吸入作業時において、押棒の外向鍔部と移動弁部材の内向鍔部との係合が外れにくいものとなった。
【図面の簡単な説明】
【０００８】
【図１】図１は、本実施例のインキ吸入機構付き万年筆でインキ吸入する前の状態を示す図である。
【図２】図２は、図１の要部断面図である。
【図３】図３は、図１のＫ−Ｋ線断面拡大図である。
【図４】図４は、押棒を後退させてインキを吸入している状態を示す要部断面図である。
【図５】図５は、押棒の射出成形時を概念的に説明する図である。
【図６】図６は、押棒の射出成形後を概念的に説明する図である。
【図７】図７は、押棒が後退しているときの移動弁部材との関係を示す図である。
【図８】図８は、従来構造の押棒の射出成形時を概念的に説明する図である。
【図９】図９は、従来構造の押棒の射出成形後を概念的に説明する図である。
【図１０】図１０は、従来のインキ吸入機構付き万年筆である。
【発明を実施するための形態】
【０００９】
次に、図面を参照しながら説明を行うが、本発明は以下の実施例に限定されるものではない。また図中の同じ部材、同じ部品については、同じ符号としてある。
【００１０】
図１〜図３を用いて、本実施例のインキ吸入機構付き万年筆について簡単に説明を行う。万年筆１は、軸筒２の前方にペン芯２０を具備したペン先２１を配設してあり、軸筒２は軸筒前方部材３と連結部材４と軸筒後方部材５とで構成し、内部にインキ吸入機構６を設けてある。インキ吸入機構６は、透明樹脂で成形した軸筒前方部材３の内部にインキ収容部７を設け、インキ収容部７の内部に軟質のエチレンプロピレンゴムで成形した移動弁部材８を前後動可能に配設してあり、移動弁部材８に形成した装着凹部８ａの内向鍔部８ｂに、押棒９の先端部に形成した外向鍔部９ａを係止して抜け止め状態に一体としてある。また、操作部材１０の外側に形成した大径部１０ａの後端部を軸筒前方部材３の後部に螺合した連結筒１１の内向きの鍔部１１ａに当接させ、操作部材１０の前端部を軸筒前方部３の内部に圧入及び接着して固着させた回転規制部材１２へ当接させることにより、インキ収容部７に対して操作部材１０が前後に動かない状態で回転可能に配設してある。
【００１１】
軸筒２内に形成したインキ収容部７の前方には、ペン芯２０と連通する前方開口部７ａを設けてあり、前方開口部７ａの周縁となるインキ収容部７の前方内面７ｂを軸心に対して直交するよう形成することで、移動弁部材８の前進を規制できるようにしてある。また、移動弁部材８の外面には円環突部８ｃを形成して、移動弁部材８が気密を保ったままインキ収容部７の内側面７ｃを摺動できるようにした。また本実施例では操作部材１０の回転に伴って押棒９が回転しないように、回転規制部材１２に穿孔した長方形形状の貫通孔１２ａに対して、外形が長方形形状である押棒９を挿通させて回転を規制してある（図３参照）。また、押棒９に形成した雄螺子９ｂは、操作部材１０に形成した雌螺子１０ｂと螺合し、図１に示すように、軸筒後方部材５を回転操作することにより押棒９を前進させ、次いで軸筒後方部材５を逆回転することで移動弁部材８を後退させ、インキ瓶３０内のインキ４０をペン芯２０を介してインキ収容部７内に吸入することができる構造である。
【００１２】
図４では、押棒９を後退させてインキ４０を吸入している状態を示している。尚、本実施例の押棒９は、図５及び図６に示すように、射出成形において金型Ｋ，金型Ｌ，金型Ｍ，金型Ｎの四つの分割金型で形成された空間の湯口Ｇに、ポリアセタール樹脂を流し込むことで押棒９を成形すると共に、金型Ｋ及び金型Ｌと金型Ｍ及び金型ＮとのパーテーションラインＰに外向鍔部９ａの後端外周上を位置させることで角が立ったエッジ部９ｄを形成しており、図７に示すように、インキ吸入時に押棒９が後退する際において、押棒９のエッジ部９ｄが移動弁部材８の内向鍔部８ｂに食い込んで、押棒９の外向鍔部９ａと移動弁部材８の内向鍔部８ｄとの係合が外れにくい構造とすることができた。
【００１３】
これに対し図８及び図９は、従来構造の押棒の射出成形における図であるが、図に示すように従来構造では、金型Ｓ，金型Ｔ，金型Ｕの三つ金型で形成された空間の湯口Ｇに、前記実施例と同様にポリアセタール樹脂を流し込むことで押棒９０を成形したが、金型Ｓと金型Ｔ及び金型ＵとのパーテーションラインＰに外向鍔部９０ａの前端外周上が位置することから、エッジ９０ｃが外向鍔部９０ａの前方に形成されてしまい、前記実施例とは異なり、インキ吸入時における押棒９０が後退する際に、押棒９０のエッジ部９０ｃが抜け止めの作用を生じることなく、図示しないが前記実施例における図７のような状態の際に、移動弁部材と押棒との係合が外れてしまった。
【産業上の利用可能性】
【００１４】
本発明の構造は、操作部を回転操作してインキを吸入する機構だけでなく、操作部を前後動させることで移動弁部材を前後動させ、インキをインキ収容部内に吸入する機構にも使用ができる。また万年筆以外のマーキングペンや水性ボールペンなどの筆記具に採用することが可能である。
【符号の説明】
【００１５】
１…万年筆、２…軸筒、２０…ペン芯、２１…ペン先、
３…軸筒前方部材、４…連結部材、５…軸筒後方部材、
６…インキ吸入機構、
７…インキ収容部、７ａ…前方開口部、７ｂ…前方内面、７ｃ…内側面、
８…移動弁部材、８ａ…装着凹部、８ｂ…内向鍔部、８ｃ…円環突部、
９…押棒、９ａ…外向鍔部、９ｂ…雄螺子、９ｃ…エッジ部、
１０…操作部材、１０ａ…大径部、１０ｂ…雌螺子、
１１…連結筒、１１ａ…鍔部、１２…回転規制部材、１２ａ…貫通孔、
３０…インキ瓶、４０…インキ。
【図１】
0005466123.tif 000002
【図２】
0005466123.tif 000003
【図３】
0005466123.tif 000004
【図４】
0005466123.tif 000005
【図５】
0005466123.tif 000006
【図６】
0005466123.tif 000007
【図７】
0005466123.tif 000008
【図８】
0005466123.tif 000009
【図９】
0005466123.tif 000010
【図１０】
0005466123.tif 000011